(57)【特許請求の範囲】
【請求項１】
容器体２の口頸部４に嵌合させた周壁５の上端縁より口頸部４上にフランジ６を延設して液密に装着するとともに、フランジ内周縁より中央に注出口７を開口したドーム状頂壁８を延設してなる栓本体Ａと、ドーム状頂壁８内周下端部に周縁部を嵌着固定した下端開口の筒状をなすとともに、頂板11中央にスリット12を穿設し、且つ、弾力性のある材質で構成した弁部材Ｂとを備えた注出栓に於いて、栓本体周壁５外周からフランジ６上面に亘って嵌合させるとともに、内周下部に突設した係合突条17を栓本体周壁５下面に係合させて抜け出しを防止し、且つ、栓本体周壁外面と内周面とに互いに係合する縦突条と縦凹溝とで構成する係合手段18を設けて回動を防止してなる固定筒部C1と、固定筒部C1上端縁より立設するとともに、破断部19を周設してなる連結筒部C2と、連結筒部C2上端縁より内方へ延設したフランジ20を介して上方へ延設した周壁21下部をドーム状頂壁８外周下部に着脱可能に嵌合させるとともに、周壁上端縁より延設した頂壁22裏面より注出口７を密嵌するシール筒23を垂設し、且つ、シール筒内の頂壁裏面より垂設した棒状突起24下端部をスリット12に貫通させた蓋部C3とからなる外皮材Ｃを設けてなることを特徴とする注出栓。
【発明の詳細な説明】
【発明の属する技術分野】
【０００１】
本発明は注出栓に関する。
【従来の技術】
【０００２】
注出栓として、容器体の口頚部に嵌合させた周壁の上端縁より口頚部上にフランジを延設して液密に装着するとともに、フランジ内周縁より中央に注出口を開口したドーム状頂壁を延設してなる栓本体と、ドーム状頂壁内周下端部に周縁部を嵌着固定した下端面開口の筒状をなすとともに、頂壁中央にスリットを穿設し、また、柔軟で弾力性に富む材質で形成された弁部材とを備えたものが知られている。
【０００３】
これらは装着した容器体の胴部圧搾により、弁部材頂壁を液圧で押し上げてスリットを開き、注出口より液の注出を行う。また、胴部の圧搾を解除すれば、その弾性復元力により容器体内が負圧化してスリットが閉じ元の状態となる如く構成している。
【０００４】
【発明が解決しようとする課題】
上記従来のキャップは、液注出後に容器を置いた際に注出口から内容液が跳ね出す等の不都合を防止でき、また、注出後に内容液がシャボン状に浮遊することも防止できる等の利点を有し、また、その構造も簡単で使い勝手の良い優れたものではあるが、注出口が露出しているため、未使用であるか否かの判別が付きにくく、また、栓本体に注出口を閉塞して口栓を設けたものもあるが、容易に外れるため同様に判別が付きにくく、従って、これらを解消する手段として、キャップ部分或いは容器全体をシュリンク包装することが行われていた。しかしながら、シュリンク包装はそのための設備を必要とし、また、包装用の別部材も必要となり、設備，コストの面での問題があった。
【０００５】
また、スリットはゴム等の柔軟で弾力性に富む材質で形成されているため、比較的くっつき易く、不使用時のスリット閉塞時間が長時間になる等の環境によってスリット部分がくっついてしまい、液圧でひらかなくなる不都合を生じる場合がある。
【０００６】
本発明はこの様な点に鑑みなされたもので、シュリンク包装等の特殊包装を施さなくても未使用を表現でき、また、スリットがくっついて液圧で開かなくなる様な虞がなく、しかも開封操作，液注出時の取り扱い操作も簡単な優れた注出栓を提案するものである。
【０００７】
【課題を解決するための手段】
本発明注出栓は上記課題を解決するため、容器体２の口頸部４に嵌合させた周壁５の上端縁より口頸部４上にフランジ６を延設して液密に装着するとともに、フランジ内周縁より中央に注出口７を開口したドーム状頂壁８を延設してなる栓本体Ａと、ドーム状頂壁８内周下端部に周縁部を嵌着固定した下端開口の筒状をなすとともに、頂板11中央にスリット12を穿設し、且つ、弾力性のある材質で構成した弁部材Ｂとを備えた注出栓に於いて、栓本体周壁５外周からフランジ６上面に亘って嵌合させるとともに、内周下部に突設した係合突条17を栓本体周壁５下面に係合させて抜け出しを防止し、且つ、栓本体周壁外面と内周面とに互いに係合する縦突条と縦凹溝とで構成する係合手段18を設けて回動を防止してなる固定筒部C1と、固定筒部C1上端縁より立設するとともに、破断部19を周設してなる連結筒部C2と、連結筒部C2上端縁より内方へ延設したフランジ20を介して上方へ延設した周壁21下部をドーム状頂壁８外周下部に着脱可能に嵌合させるとともに、周壁上端縁より延設した頂壁22裏面より注出口７を密嵌するシール筒23を垂設し、且つ、シール筒内の頂壁裏面より垂設した棒状突起24下端部をスリット12に貫通させた蓋部C3とからなる外皮材Ｃを設けてなることを特徴とする注出栓として構成した。
【０００８】
【発明の実施の形態】
以下、本発明の実施例の形態を図面を参照して説明する。
本発明の注出栓１は、容器体２に装着するもので、栓本体Ａと、弁部材Ｂと、外皮材Ｃとを備えている。
【０００９】
装着する容器体２は合成樹脂等により形成され、図示例の如く、筒状の胴部３上端より口頚部４を起立して構成したものが使用でき、胴部３は圧搾可能とすると良い。
【００１０】
栓本体Ａは、容器体２の口頚部４に嵌合させた周壁５の上端縁より口頚部４上にフランジ６を延設して液密に装着するとともに、フランジ内周縁より中央に注出口７を開口したドーム状頂壁８を延設している。
栓本体Ａを口頚部４に液密に嵌合させるために、口頚部４上面とフランジ６裏面との間にパッキンを介在させてもよいが、図示例の如く、フランジ６裏面周縁部に垂設したシール筒９を口頚部４内面上端部に嵌合させて、この部分からの液の漏出防止を図っても良い。
【００１１】
図示例では、ドーム状頂壁８の外周下部に垂直面と水平面とからなる側面視Ｌ字状に凹んだ環状凹部ａを周設して、この部分に外皮材Ｃの後述する蓋部周壁を嵌合させる如く構成している。また、凹部ａの垂壁部分外面には係止突条10を突周設している。尚、本実施例では、栓本体Ａを、その周壁５を容器体口頚部４外周に螺着させて離脱可能に構成しているが、これに限られず、例えば、周壁５内周下端に突周設した係合突条を、口頚部４外周下部に突周設した係合突条下面に強制的に嵌合させて抜け出しの防止を図っても良い。
【００１２】
弁部材Ｂは、エラストマー等の柔軟で弾力性に富む材質により形成され、ドーム状頂壁８内周下端部に周縁部を嵌着固定した下端面開口の筒状をなすとともに、頂板11中央にスリット12を穿設したものである。
【００１３】
図示例では、円筒状周壁13上端縁より下方へ凹む半球面状の頂板11を延設し、周壁下端縁より外方へ延設したフランジ部14上面より突設した環状の嵌合突条15を、ドーム状頂壁８内周下部に周設した下向きの嵌合凹溝16に嵌合させてドーム状頂壁８内に収納固定している。
【００１４】
外皮材Ｃは、栓本体Ａを被覆して嵌着固定したもので、固定筒部C1と、連結筒部C2と、蓋部C3とから構成している。
【００１５】
固定筒部C1は、栓本体周壁５外周からフランジ６上面に亘って嵌合させるとともに、内周下部に突設した係合突条17を栓本体周壁５下面に係合させて抜け出しを防止し、また、栓本体周壁外面と内周面とに互いに係合する縦突条と縦凹溝とで構成する係合手段18を設けて回動を防止している。
【００１６】
連結筒部C2は、使用時には栓本体に固定されたままの状態となる固定筒部C1と、使用の都度着脱される蓋部C3とを、未使用の状態で蓋部の開閉が出来ないように連結し、また、使用時にはそこに設けた破断部19を破断して蓋部C3の着脱が可能となる如く設けたものであり、固定筒部C1上端縁より立設した短筒状をなし、上下に分離可能な破断部19を設けている。破断部19は図示例の如く薄肉部として形成したものであっても、或いはミシン目の形態、所定間隔をあけた棒状連結片により連結した形態等種々の形態を採用できる。
【００１７】
蓋部C3は、連結筒部C2上端縁より内方へ延設したフランジ20を介して上方へ延設した周壁21下部をドーム状頂壁８外周に着脱可能に嵌合させるとともに、周壁21上端縁より延設した頂壁22裏面より注出口７に密嵌するシール筒23を垂設し、且つ、シール筒23内の頂壁裏面より垂設した棒状突起24の下端部をスリット12に貫通させて構成している。図示例では、周壁21内周下部に、上記係止突条10と比較的容易な離脱が可能に係合する係止突条25を突周設し、また、棒状突起24は、細い円筒状に構成している。
【００１８】
上記容器１を使用する場合には、例えば、図１の状態から、破断部19を切断して外皮材Ｃの蓋部C3を取り除いた後、胴部を圧搾すれば液圧でスリット12が広がり液が注出口７より注出される。使用後は胴部３の圧搾を解除すれば容器体内の負圧化によりスリット12が閉じ、蓋部C3を再び嵌着して元の状態に戻る。この際、棒状突起24の下端部がスリット12中央を貫通して、スリット12を開いた状態に維持する。
尚、上記各部材は合成樹脂により形成することができる。
【００１９】
【発明の効果】
以上説明した如く、本発明注出栓は、既述構成としたことにより、未使用時には固定筒部と蓋部とが一体に連結しているため、シュリンク包装等を施さなくても容器の未使用が一見して判別でき、また、その構造も簡単で、外皮材を栓本体の上方から嵌着固定すればよいため組み付けも容易で且つ安価な製造を行えるものである。
【００２０】
また、使用時には、固定筒部に対し蓋部をねじるという簡単な操作で開封することができ、蓋部を外すことにより簡単に液の注出が可能となり、また、使用後は分離した蓋部をそのままキャップとして使用することができ、しかも、棒状突起の存在で閉蓋時にはスリットが開かれているため、使用時にくっついて液の注出に支障きたす等の不都合を生じることもない。
【図面の簡単な説明】
【図１】本発明の一実施例を示す半断面図である。
【図２】同実施例の斜視図である。
【図３】同実施例の蓋部を取り外した状態の斜視図である。
【符号の説明】
２…容器体，４…口頚部，５…栓本体周壁，６…フランジ，７…注出口，
８…ドーム状頂壁，11…頂板，12…スリット，17…係合突条，18…係合手段，
19…破断部，20…フランジ，21…蓋部周壁，22…蓋部頂壁，23…シール筒，
24…棒状突起，Ａ…栓本体，Ｂ…弁部材，Ｃ…外皮材，D1…固定筒部，
D2…連結筒部，D3…蓋部
【図１】
0003741880.tif 000002
【図２】
0003741880.tif 000003
【図３】
0003741880.tif 000004